(57)【要約】【課題】本発明は、カメラモジュールの検査を自動化できるカメラモジュール検査用ソケットに関して開示する。【解決手段】このために、本発明は、被検査物であるカメラモジュールが収容されて載置されるローディング部を備えるベースプレートと、ベースプレートに水平移動可能に形成されるスライダーと、スライダーに昇・下降可能に形成され、カメラモジュールの上部に対応する蓋部を備える上板と、上板をスライダーに対して垂直に往復運動させる垂直シリンダーと、ローディング部又は蓋部に形成され、カメラモジュールの接点と接続する接続部とを含むカメラモジュール検査用ソケットを提供する。【選択図】図１
2014143662.tif 000002
【特許請求の範囲】
【請求項１】
被検査物であるカメラモジュールが収容されて載置されるローディング部を備えるベースプレート；
前記ベースプレートに水平移動可能に形成されるスライダー；
前記スライダーに昇・下降可能に形成され、前記カメラモジュールの上部に対応する蓋部を備える上板；
前記上板を前記スライダーに対して垂直に往復運動させる垂直シリンダー；及び
前記ローディング部又は蓋部に形成され、前記カメラモジュールの接点と接続する接続部；を含むカメラモジュール検査用ソケット。
【請求項２】
前記垂直シリンダーは空圧又は油圧によって往復運動することを特徴とする、請求項１に記載のカメラモジュール検査用ソケット。
【請求項３】
前記ローディング部は真空手段と連結される吸着溝を備えることを特徴とする、請求項１に記載のカメラモジュール検査用ソケット。
【請求項４】
前記蓋部は、前記カメラモジュールのレンズ部を露出させるための貫通ホールを備えることを特徴とする、請求項１に記載のカメラモジュール検査用ソケット。
【請求項５】
前記スライダーは、前記カメラモジュールに近接する前進位置と、前記カメラモジュールから離隔した後進位置との間を往復運動し、
前記蓋部は、前記前進位置では前記カメラモジュールの垂直上部に位置し、前記後進位置では前記カメラモジュールから逸脱することを特徴とする、請求項１に記載のカメラモジュール検査用ソケット。
【請求項６】
前記スライダーが前進位置にあるときに前記蓋部が下降し、前記カメラモジュールが載置部と前記蓋部との間に固定されることを特徴とする、請求項５に記載のカメラモジュール検査用ソケット。
【請求項７】
前記ローディング部及び前記蓋部は着脱可能に形成されることを特徴とする、請求項６に記載のカメラモジュール検査用ソケット。
【発明の詳細な説明】
【技術分野】
【０００１】
本発明は、カメラモジュール検査用ソケットに関し、より詳細には、カメラモジュールの検査を自動化できるカメラモジュール検査用ソケットに関する。
【背景技術】
【０００２】
最近、ほとんどの移動通信端末機にカメラが備わっており、このようなカメラとしては、ＣＭＯＳやＣＣＤイメージセンサーが適用された小型カメラが使用される。
【０００３】
小型カメラにおいては、印刷回路基板にＣＭＯＳやＣＣＤイメージセンサーが装着され、レンズとハウジングに組み立てられた後、外部と電気的に通信するためのフレキシブル印刷回路基板と電気的に連結されることによってカメラモジュールを製作し、この後、製作が完了したカメラモジュールが正常に作動するかどうかを検査する。
【０００４】
カメラモジュールの正常作動の可否を検査するために、従来は、作業者がモニターの画面と所定距離だけ離隔した位置にカメラモジュールを装着した後、モニターの画面に検査イメージを表示して、これをカメラモジュールで撮影し、撮影された結果を作業者が確認することで、カメラモジュールの正常作動の可否を手動で判断していた。
【０００５】
本発明と関連した先行技術としては、特許文献１‘カメラモジュール検査用ソケット'（公告日：２０１１年３月７日）がある。
【先行技術文献】
【特許文献】
【０００６】
【特許文献１】大韓民国登録特許登録番号１０―１０１９４１７号
【発明の概要】
【発明が解決しようとする課題】
【０００７】
本発明の目的は、カメラモジュールの検査を自動化できるカメラモジュール検査用ソケットを提供することにある。
【課題を解決するための手段】
【０００８】
本発明は、被検査物であるカメラモジュールが収容されて載置されるローディング部を備えるベースプレート；前記ベースプレートに水平移動可能に形成されるスライダー；前記スライダーに昇・下降可能に形成され、前記カメラモジュールの上部に対応する蓋部を備える上板；前記上板を前記スライダーに対して垂直に往復運動させる垂直シリンダー；及び前記ローディング部又は蓋部に形成され、前記カメラモジュールの接点と接続する接続部；を含むカメラモジュール検査用ソケットを提供する。
【０００９】
前記垂直シリンダーとしては、空圧又は油圧によって往復運動するものを使用することができる。
【００１０】
そして、前記ローディング部は、真空手段と連結される吸着溝を備えてカメラモジュールの固定力を提供することができる。
【００１１】
前記蓋部は、前記カメラモジュールのレンズ部を露出させるための貫通ホールを備えることが望ましい。
【００１２】
このとき、前記スライダーは、前記カメラモジュールに近接する前進位置と、前記カメラモジュールから離隔した後進位置との間を往復運動し、前記蓋部は、前記前進位置では前記カメラモジュールの垂直上部に位置し、前記後進位置では前記カメラモジュールから逸脱することが望ましい。
【００１３】
併せて、前記スライダーが前進位置にあるときに前記蓋部が下降し、前記カメラモジュールが載置部と前記蓋部との間に固定されることが望ましい。
【００１４】
一方、前記ローディング部及び前記蓋部は、着脱可能に形成されることがより望ましい。
【発明の効果】
【００１５】
本発明に係るカメラモジュール検査用ソケットは、カメラモジュールが供給されると、自動的に密着固定した後で検査を行うように動作することによって、カメラモジュールの検査を自動化又は半自動化できるという効果をもたらす。
【図面の簡単な説明】
【００１６】
【図１】本発明の実施例に係るカメラモジュール検査用ソケットの斜視図である。
【図２】本発明の実施例に係るカメラモジュール検査用ソケットの分離斜視図である。
【図３】本発明の実施例に係るカメラモジュール検査用ソケットのスライダーが後進位置に置かれた状態を示した側断面図である。
【図４】本発明の実施例に係るカメラモジュール検査用ソケットのスライダーが前進位置に移動した状態を示した側断面図である。
【図５】本発明の実施例に係るカメラモジュール検査用ソケットの上板が下降した状態を示した側断面図である。
【発明を実施するための形態】
【００１７】
以下、添付の各図面を参照して本発明に係るカメラモジュール検査用ソケットの望ましい一実施例を説明する。この過程で図面に示した各線の太さや構成要素の大きさなどは、説明の明瞭性と便宜のために誇張して図示する場合がある。
【００１８】
また、後述する用語は、本発明での機能を考慮して定義された用語であって、これは、使用者、運用者の意図又は慣例によって変わり得る。そのため、このような用語は、本明細書全般にわたる内容に基づいて定義しなければならない。
【００１９】
図１は、本発明の実施例に係るカメラモジュール検査用ソケットの斜視図で、図２は、本発明の実施例に係るカメラモジュール検査用ソケットの分離斜視図である。
【００２０】
本発明の実施例に係るカメラモジュール検査用ソケット１００は、カメラモジュールが供給されると、自動的にカメラモジュールを固定して検査を行うためのもので、ベースプレート１２０、スライダー１４０、垂直シリンダー１５０及び上板１６０を含む。
【００２１】
ベースプレート１２０は、被検査物であるカメラモジュールが収容されて載置されるローディング部１２２を備える。
【００２２】
ローディング部１２２は、カメラモジュールの下部形状に対応する溝の形態に形成することができ、カメラモジュールを真空吸着するための吸着溝１２２ａを備えることができる。
【００２３】
吸着溝１２２ａは、別途の真空手段と連結され、カメラモジュールが載置されると陰圧を提供し、カメラモジュールがローディング部１２２に堅固に固定されるようにする。
【００２４】
スライダー１４０は、ベースプレート１２０に対して水平移動可能に形成される。
【００２５】
スライダー１４０とベースプレート１２０には別途の水平移動手段（図示せず）が連結され、スライダー１４０はベースプレート１２０に対して水平方向に往復運動することができる。
【００２６】
スライダー１４０は、ローディング部１２２に置かれたカメラモジュールに最も近接した前進位置と、前記カメラモジュールに対して最も離隔した後進位置との間を往復移動するようになる。
【００２７】
このとき、スライダー１４０がカメラモジュールに近接した場合のスライダー１４０とベースプレート１２０との摩擦を低減するために、ベースプレート１２０にはスライダー１４０と接する部位に緩衝部１３０を設置することができる。
【００２８】
ここで、前記緩衝部１３０は、スプリング形態からなり、前記スライダー１４０の動きを制限するストッパーとしての機能をする。
【００２９】
一方、スライダー１４０には上板１６０が昇・下降可能に連結される。より詳細には、前記上板１６０とスライダー１４０は、垂直方向に長さが可変する垂直シリンダー１５０を通して連結される。
【００３０】
前記垂直シリンダー１５０は、空圧又は油圧によって往復運動する形態であることが望ましい。
【００３１】
すなわち、前記垂直シリンダー１５０は、空圧シリンダー、油圧シリンダー、電動シリンダーなどを含むことができる。
【００３２】
このとき、上板１６０の上部には印刷回路基板１１０が締結される。このとき、前記印刷回路基板１１０は、前記上板１６０との着脱を容易に行えるようにボルト締結されることが望ましい。
【００３３】
また、前記上板１６０は、前記カメラモジュールの上部を覆う形態の蓋部１６２を備える。
【００３４】
カメラモジュールは、下部がローディング部１２２によって覆われ、上部が蓋部１６２によって覆われる構成を有している。すなわち、カメラモジュールは、ローディング部１２２と蓋部１６２との間に密着して堅固に固定できる構造を有する。
【００３５】
また、蓋部１６２は、カメラモジュールのレンズ部を露出させるための貫通ホール１６２ａを備えることが望ましい。
【００３６】
カメラモジュールを検査するためにはレンズ部が露出しなければならない。これは、レンズ部が露出したときにレンズ部の性能を評価できるためである。
【００３７】
前記ローディング部１２２又は蓋部１６２には、前記カメラモジュールの接点と接続する接続部１７０が備えられる。
【００３８】
接続部１７０は、カメラモジュールに電気的に接続され、カメラモジュールを作動させて不良の有無を評価できるようにする。
【００３９】
また、前記ローディング部１２２と蓋部１６２は着脱可能に形成され、検査用ソケットが多様な形態のカメラモジュールを評価できるようにすることが望ましい。
【００４０】
図３は、本発明の実施例に係るカメラモジュール検査用ソケットのスライダーが後進位置に置かれた状態を示した側断面図で、図４は、本発明の実施例に係るカメラモジュール検査用ソケットのスライダーが前進位置に移動した状態を示した側断面図である。
【００４１】
図３と図４に示したように、スライダー１４０は、前進位置と後進位置との間で往復運動をするようになる。
【００４２】
このとき、スライダー１４０に結合された上板１６０も、スライダー１４０と共に移動するようになる。
【００４３】
図３に示したように、後進位置では、カメラモジュール１０が載置されるローディング部（図１の１２２）の上側が開放された状態であることが望ましい。これは、後進位置でカメラモジュール１０がローディング部（図１の１２２）に容易に供給されるようにするためである。
【００４４】
スライダー１４０の後進位置でカメラモジュール１０がローディング部に載置された後、スライダー１４０が前進位置に移動する。このとき、上板１６０はスライダー１４０から上昇した状態を維持する。
【００４５】
スライダー１４０が前進位置に移動すると、上板１６０の蓋部１６２がカメラモジュール１０の垂直上部に位置するようになる。
【００４６】
図５は、本発明の実施例に係るカメラモジュール検査用ソケットの上板が下降した状態を示した側断面図である。
【００４７】
図示したように、スライダー１４０が前進位置に移動した後、上板１６０が下降するようになる。
【００４８】
スライダー１４０が前進位置にあるとき、上板１６０の蓋部１６２がカメラモジュール１０の上部に位置するようになる。このとき、上板１６０が下降すると、蓋部１６２が下降してカメラモジュール１０の上部に圧着するようになる。
【００４９】
結果的に、カメラモジュール１０は、ローディング部（図１の１２２）と蓋部１６２との間に圧着固定され、これによって、接続部１７０がカメラモジュール１０に電気的に接続され、カメラモジュール１０の検査を行うようになる。
【００５０】
蓋部１６２には、上述したように、貫通ホール（図４の１６２ａ）が備えられ、カメラモジュール１０のレンズ部１２は貫通ホール（図４の１６２ａ）を介して外部に露出する。
【００５１】
図示した実施例の場合、接続部１７０が蓋部１６２に形成されているが、検査対象カメラモジュール１０に応じて、接続部１７０がローディング部（図２の１２２）に形成される場合もあり、接続部１７０がローディング部（図２の１２２）と蓋部１６２の両方に形成される場合もある。
【００５２】
前記接続部１７０は、印刷回路基板１１０などを通して検査設備と連結される。
【００５３】
前記接続部１７０が蓋部１６２に形成される場合、印刷回路基板１１０は上板１６０に付着し、前記接続部１７０がローディング部（図２の１２２）に形成される場合、印刷回路基板１１０はベースプレート１２０に付着することもできる。
【００５４】
また、ローディング部（図２の１２２）と蓋部１６２は着脱可能に形成されることが望ましい。
【００５５】
これは、多様な形状のカメラモジュール１０の検査を可能にするためである。
【００５６】
併せて、ローディング部（図２の１２２）と蓋部１６２を交換することによって、検査用ソケットを多様な形態のカメラモジュール１０の検査に使用できるようになる。
【００５７】
以下、本発明に係るカメラモジュール検査用ソケット１００の動作について説明する。
【００５８】
ベースプレート１２０に対してスライダー１４０が後進位置にあり、上板１６０が上昇した状態で被検査対象物であるカメラモジュール１０がベースプレート１２０のローディング部１２２に供給される。
【００５９】
カメラモジュール１０は、作業者によって供給される場合もあり、自動供給装置によって供給される場合もある。
【００６０】
カメラモジュール１０がローディング部１２２に載置されると、スライダー１４０が前進位置に移動した後、上板１６０が下降し、カメラモジュール１０の上部が蓋部１６２によって圧着される。
【００６１】
この状態で接続部１７０がカメラモジュール１０に電気的に連結され、カメラモジュール１０の性能を検査するようになる。
【００６２】
検査が完了すると、上板１６０が上昇した後、スライダー１４０が後進位置に移動し、検査が完了したカメラモジュール１０をローディング部１２２から除去した後、カメラモジュール１０に対して同一の作業を繰り返して行うようになる。
【００６３】
このように、本発明に係るカメラモジュール検査用ソケット１００は、カメラモジュール１０をローディング部１２２に供給すると、スライダー１４０と上板１６０が移動してカメラモジュール１０に接続することによって、自動的に検査を行うようになる。
【００６４】
従って、本発明に係るカメラモジュール検査用ソケット１００は、カメラモジュール１０が供給されると、自動的に密着固定した後で検査を行うように動作することによって、カメラモジュール１０の検査を自動化又は半自動化できるという効果をもたらす。
【００６５】
添付の図面を参照して本発明の各実施例を説明したが、本発明は、前記各実施例に限定されるものではなく、互いに異なる多様な形態に変形することができ、本発明の属する技術分野で通常の知識を有する者であれば、本発明の技術的思想や必須な特徴を変更せずとも他の具体的な形態で実施可能であることを理解できるだろう。従って、以上説明した各実施例は、全ての面で例示的なものであって、限定的なものでないと理解しなければならない。
【００６６】
従って、本発明の真の技術的保護範囲は特許請求の範囲によって定めなければならない。
【符号の説明】
【００６７】
１０：カメラモジュール、１２：レンズ部、１００：カメラモジュール検査用ソケット、１１０：印刷回路基板、１２０：ベースプレート、１２２：ローディング部、１２２ａ：吸着溝、１３０：緩衝部、１４０：スライダー、１５０：垂直シリンダー、１５２：ガイド、１６０：上板、１６２：蓋部、１６２ａ：貫通ホール、１７０：接続部
【図１】
2014143662.tif 000003
【図２】
2014143662.tif 000004
【図３】
2014143662.tif 000005
【図４】
2014143662.tif 000006
【図５】
2014143662.tif 000007